【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
近視野光を生成するための微小開口を設けた再生プローブによって再生する情報を媒体表面に形成した情報記録媒体において、
前記媒体表面に形成された前記情報の単位となる記録ビットが前記媒体表面に設けられた造形構造により形成され、該造形構造はトラック方向に沿ったトラック中心軸に対して互いに対称な斜面または曲面を有し、かつそれぞれの前記斜面が頂部で交差してなる構造、またはそれぞれの前記曲面が頂部で一致してなる構造であることを特徴とする情報記録媒体。
【請求項２】
前記造形構造は、前記トラック方向に垂直な方向の断面が三角形状であることを特徴とする請求項１に記載の情報記録媒体。
【請求項３】
前記造形構造は、前記トラック方向に垂直な方向の断面が半円形状であることを特徴とする請求項１に記載の情報記録媒体。
【請求項４】
前記造形構造は、前記媒体表面に対して凸型であることを特徴とする請求項２または３に記載の情報記録媒体。
【請求項５】
前記造形構造は、前記媒体表面に対して凹型であることを特徴とする請求項２または３に記載の情報記録媒体。
【請求項６】
前記媒体表面に金属反射膜を形成したことを特徴とする請求項１から５のいずれか１つに記載の情報記録媒体。
【請求項７】
近視野光を生成するための微小開口を設けた再生プローブによって情報の再生を行う情報再生装置において、
媒体表面に形成された前記情報の単位となる記録ビットが前記媒体表面に設けられた造形構造により形成され、該造形構造はトラック方向に沿ったトラック中心軸に対して互いに対称な斜面または曲面を有し、かつそれぞれの前記斜面が頂部で交差してなる構造、またはそれぞれの前記曲面が頂部で一致してなる構造である情報記録媒体と、
前記造形構造によって前記近視野光を散乱させることにより生じる反射散乱光を前記微小開口の前記トラック方向に沿ったトラック中心軸に対して互いに対称となる少なくとも２つの位置において検出し、検出した信号に応じて前記再生プローブの位置を制御する制御装置と、を備えることを特徴とする情報再生装置。
【請求項８】
近視野光を生成するための微小開口を設けた再生プローブによって情報の再生を行う情報再生装置において、
媒体表面に形成された前記情報の単位となる記録ビットが前記媒体表面に設けられた造形構造により形成され、該造形構造はトラック方向に沿ったトラック中心軸に対して互いに対称な斜面または曲面を有し、かつそれぞれの前記斜面が頂部で交差してなる構造、またはそれぞれの前記曲面が頂部で一致してなる構造である情報記録媒体と、
前記造形構造によって前記近視野光を散乱させることにより生じる反射散乱光を検出して検出信号を出力し、前記微小開口の前記トラック方向に沿ったトラック中心軸に対して左右対称に互いに配置された第１および第２の光検出手段と、
前記第１の光検出手段から出力された第１の検出信号と前記第２の光検出手段から出力された第２の検出信号との差分演算を行い差分信号を出力する差分演算手段と、
前記差分信号に応じて前記再生プローブの位置を制御する再生プローブ位置制御手段と、
前記第１の検出信号と前記第２の検出信号との加算演算を行い再生信号を生成する再生信号生成手段と、
を備えることを特徴とする情報再生装置。
【請求項９】
前記再生プローブは、先端に微小開口を設けた光ファイバからなることを特徴とする請求項７または８に記載の情報再生装置。
【請求項１０】
前記再生プローブは、突起部に微小開口を設けたカンチレバー型のプローブであることを特徴とする請求項７または８に記載の情報再生装置。
【請求項１１】
前記再生プローブは、逆錐状の穴がその頂部を微小開口とするように貫通して形成された平面基板からなり、前記第１および第２の光検出手段を前記平面基板に配置した平面プローブであることを特徴とする請求項７または８に記載の情報再生装置。
【請求項１２】
さらに、前記再生プローブは、前記微小開口の近傍に前記反射散乱光を検出する第３および第４の光検出手段を配置した平面プローブであることを特徴とする請求項１１に記載の情報再生装置。
【請求項１３】
情報記録媒体に近視野光を生成させ、当該近視野光を散乱するための再生プローブによって情報の再生を行う情報再生装置において、
生成された前記近視野光を前記再生プローブの先端部によって散乱させることにより生じる反射散乱光を、前記再生プローブの先端部に対して互いに対称となる少なくとも２つの位置において検出し、検出した信号に応じて前記再生プローブの位置を制御することを特徴とする情報再生装置。
【請求項１４】
情報記録媒体に近視野光を生成させ、当該近視野光を散乱するための再生プローブによって情報の再生を行う情報再生装置において、
前記近視野光が前記再生プローブの先端部によって散乱されて生じる反射散乱光を検出して検出信号を出力し、読み取り方向に沿った前記再生プローブの先端部に対して互いに対称に配置された第１および第２の光検出手段と、
前記第１の光検出手段から出力された第１の検出信号と前記第２の光検出手段から出力された第２の検出信号との差分演算を行い差分信号を出力する差分演算手段と、
前記差分信号に応じて前記再生プローブの位置を制御する再生プローブ位置制御手段と、
前記第１の検出信号と前記第２検出信号との加算演算を行い再生信号を生成する再生信号生成手段と、
を備えることを特徴とする情報再生装置。
【請求項１５】
前記再生プローブは、くさび形状であることを特徴とする請求項１３または１４に記載の情報再生装置。
【手続補正２】
【補正対象書類名】明細書
【補正対象項目名】００１７
【補正方法】変更
【補正の内容】
【００１７】
【課題を解決するための手段】
上記の目的を達成するために、請求項１に係る情報記録媒体は、近視野光を生成するための微小開口を設けた再生プローブによって再生する情報を媒体表面に形成した情報記録媒体において、前記媒体表面に形成された前記情報の単位となる記録ビットが前記媒体表面に設けられた造形構造により形成され、該造形構造はトラック方向に沿ったトラック中心軸に対して互いに対称な斜面または曲面を有し、かつそれぞれの前記斜面が頂部で交差してなる構造、またはそれぞれの前記曲面が頂部で一致してなる構造であることを特徴とする。
【手続補正３】
【補正対象書類名】明細書
【補正対象項目名】００１９
【補正方法】変更
【補正の内容】
【００１９】
また、請求項２に係る情報記録媒体は、請求項１の発明において、前記造形構造は、前記トラック方向に垂直な方向の断面が三角形状であることを特徴とする。
【手続補正４】
【補正対象書類名】明細書
【補正対象項目名】００２１
【補正方法】変更
【補正の内容】
【００２１】
また、請求項３に係る情報記録媒体は、請求項１の発明において、前記造形構造は、前記トラック方向に垂直な方向の断面が半円形状であることを特徴とする。
【手続補正５】
【補正対象書類名】明細書
【補正対象項目名】００２３
【補正方法】変更
【補正の内容】
【００２３】
また、請求項４に係る情報記録媒体は、請求項２または３の発明において、前記造形構造は、前記媒体表面に対して凸型であることを特徴とする。
【手続補正６】
【補正対象書類名】明細書
【補正対象項目名】００２５
【補正方法】変更
【補正の内容】
【００２５】
また、請求項５に係る情報記録媒体は、請求項２または３の発明において、前記造形構造は、前記媒体表面に対して凹型であることを特徴とする。
【手続補正７】
【補正対象書類名】明細書
【補正対象項目名】００２９
【補正方法】変更
【補正の内容】
【００２９】
また、請求項７に係る情報再生装置は、近視野光を生成するための微小開口を設けた再生プローブによって情報の再生を行う情報再生装置において、媒体表面に形成された前記情報の単位となる記録ビットが前記媒体表面に設けられた造形構造により形成され、該造形構造はトラック方向に沿ったトラック中心軸に対して互いに対称な斜面または曲面を有し、かつそれぞれの前記斜面が頂部で交差してなる構造、またはそれぞれの前記曲面が頂部で一致してなる構造である情報記録媒体と、前記造形構造によって前記近視野光を散乱させることにより生じる反射散乱光を前記微小開口の前記トラック方向に沿ったトラック中心軸に対して互いに対称となる少なくとも２つの位置において検出し、検出した信号に応じて前記再生プローブの位置を制御する制御装置と、を備えることを特徴とする。
【手続補正８】
【補正対象書類名】明細書
【補正対象項目名】００３１
【補正方法】変更
【補正の内容】
【００３１】
また、請求項８に係る情報再生装置は、近視野光を生成するための微小開口を設けた再生プローブによって情報の再生を行う情報再生装置において、媒体表面に形成された前記情報の単位となる記録ビットが前記媒体表面に設けられた造形構造により形成され、該造形構造はトラック方向に沿ったトラック中心軸に対して互いに対称な斜面または曲面を有し、かつそれぞれの前記斜面が頂部で交差してなる構造、またはそれぞれの前記曲面が頂部で一致してなる構造である情報記録媒体と、前記造形構造によって前記近視野光を散乱させることにより生じる反射散乱光を検出して検出信号を出力し、前記微小開口の前記トラック方向に沿ったトラック中心軸に対して左右対称に互いに配置された第１および第２の光検出手段と、前記第１の光検出手段から出力された第１の検出信号と前記第２の光検出手段から出力された第２の検出信号との差分演算を行い差分信号を出力する差分演算手段と、前記差分信号に応じて前記再生プローブの位置を制御する再生プローブ位置制御手段と、前記第１の検出信号と前記第２の検出信号との加算演算を行い再生信号を生成する再生信号生成手段と、を備えることを特徴とする。
【手続補正９】
【補正対象書類名】明細書
【補正対象項目名】００４１
【補正方法】変更
【補正の内容】
【００４１】
また、請求項１３に係る情報再生装置は、情報記録媒体に近視野光を生成させ、当該近視野光を散乱するための再生プローブによって情報の再生を行う情報再生装置において、生成された前記近視野光を前記再生プローブの先端部によって散乱させることにより生じる反射散乱光を、前記再生プローブの先端部に対して互いに対称となる少なくとも２つの位置において検出し、検出した信号に応じて前記再生プローブの位置を制御することを特徴とする。